(57)【要約】【課題】自動分析装置に対応する装置取扱方法説明情報を容易に短時間にて表示する。【解決手段】自動分液装置において、タブレット端末１１４は、端末情報管理部２１０および端末表示部２０８を有する。端末情報管理部２１０は、１以上の自動分析装置１０１の装置取扱方法説明情報を取得する装置取扱情報参照画面を生成する。端末表示部２０８は、端末情報管理部２１０が生成した装置取扱情報参照画面を表示する。端末表示部２０８が表示する装置取扱情報参照画面は、すべての自動分析装置に対応する第１の表示手段と、該第１の表示手段によって選択された自動分析装置に対応する装置取扱方法説明情報の項目に対応する第２の表示手段と、を有する。端末情報管理部２１０は、受け取った装置取扱方法説明情報から第２の表示手段を生成して端末表示部２０８に表示させる。【選択図】図３
2019028018.tif 000002
【特許請求の範囲】
【請求項１】
検体を測定する１以上の自動分析装置と、
１以上の前記自動分析装置にそれぞれ接続され、接続される前記自動分析装置を制御する１以上の操作装置と、
１以上の前記操作装置が接続され、前記操作装置から前記自動分析装置の情報を収集して管理する情報管理装置と、
前記情報管理装置に接続される端末装置と、
を有し、
前記端末装置は、
１以上の前記自動分析装置の装置取扱方法説明情報を取得する装置取扱情報参照画面を生成する端末情報管理部と、
前記端末情報管理部が生成した前記装置取扱情報参照画面を表示する表示部と、
を有し、
前記表示部が表示する前記装置取扱情報参照画面は、
すべての前記自動分析装置に対応する第１の表示手段と、
前記第１の表示手段によって選択された自動分析装置に対応する前記装置取扱方法説明情報の項目に対応する第２の表示手段と、
を有し、
前記端末情報管理部は、受け取った前記装置取扱方法説明情報から前記第２の表示手段を生成して前記表示部に表示させる、自動分析システム。
【請求項２】
請求項１記載の自動分析システムにおいて、
１以上の前記操作装置には、接続される前記自動分析装置に対応する装置取扱方法説明情報がそれぞれ格納され、
前記情報管理装置は、前記操作装置に格納されている前記自動分析装置の装置取扱方法説明情報をそれぞれ取得する情報管理部と、
前記情報管理部が取得した前記装置取扱方法説明情報を格納する情報管理記憶部と、
を有し、
前記情報管理部は、前記表示部に表示される前記第１の表示手段から選択された自動分析装置に対応する前記装置取扱方法説明情報を前記情報管理記憶部から取り出して前記端末情報管理部に出力する、自動分析装置。
【請求項３】
請求項２記載の自動分析システムにおいて、
前記情報管理部は、前記表示部に表示された前記第２の表示手段から選択された項目に対応する前記装置取扱方法説明情報を前記情報管理記憶部から取得し、
前記端末情報管理部は、前記情報管理部が取得した前記装置取扱方法説明情報を前記表示部に表示させる、自動分析システム。
【請求項４】
請求項３記載の自動分析システムにおいて、
前記表示部に表示された前記第２の表示手段は、前記装置取扱方法説明情報の分冊の項目に対応し、
前記情報管理部は、選択された前記分冊の項目の内容を示す情報を前記情報管理記憶部から取得する、自動分析システム。
【請求項５】
請求項２記載の自動分析システムにおいて、
前記情報管理部は、前記自動分析装置とのアクセスを可能とするログオン処理の情報を入力するログオン画面からログオン処理が行われた際に前記自動分析装置の電源がオンとなっているか否かを判定し、
前記端末情報管理部は、前記ログオン画面を生成して前記表示部に表示させ、
前記ログオン画面は、前記装置取扱情報参照画面を生成して前記表示部に表示させる装置取扱方法参照ボタンを有する、自動分析システム。
【請求項６】
請求項２記載の自動分析システムにおいて、
前記端末情報管理部は、前記すべての自動分析装置にログインしていない状態で表示されるいずれかの画面に前記自動分析装置の装置取扱方法説明情報を前記表示部に表示させる装置取扱方法説明情報表示ボタンを表示させ、
前記端末情報管理部は、前記装置取扱方法説明情報表示ボタンが選択された際に前記装置取扱情報参照画面を前記表示部に表示させる、自動分析システム。
【請求項７】
請求項２記載の自動分析システムにおいて、
前記端末情報管理部は、前記自動分析装置から出力される前記自動分析装置の装置状況を示す装置情報を取得して、取得した前記装置情報に基づいて、前記自動分析装置における装置状況を示す状況確認画面を生成して前記表示部に表示させ、
前記表示部が表示する前記状況確認画面は、前記自動分析装置の機能を設定する設定画面を表示する設定アイコンを有し、
前記表示部が表示する前記設定画面は、前記第１の表示手段を表示させる第１の表示ボタンを有し、
前記端末情報管理部は、前記表示部に表示される前記第１の表示手段から選択された自動分析装置に対応する前記装置取扱方法説明情報を前記情報管理記憶部から取り出して前記端末情報管理部に出力し、
前記端末情報管理部は、受け取った前記装置取扱方法説明情報から前記第２の表示手段を生成して前記表示部に表示させる、自動分析システム。
【請求項８】
請求項７記載の自動分析システムにおいて、
前記情報管理部は、前記表示部に表示された前記第２の表示手段から選択された項目に対応する前記装置取扱方法説明情報を前記情報管理記憶部から取得し、
前記端末情報管理部は、前記情報管理部が取得した前記装置取扱方法説明情報を前記表示部に表示させる、自動分析システム。
【請求項９】
請求項２記載の自動分析システムにおいて、
前記情報管理部は、前記自動分析装置の電源がオンされる毎に前記操作装置に格納されている前記装置取扱方法説明情報を取得して、取得した前記装置取扱方法説明情報を情報管理記憶部に格納する、自動分析システム。
【発明の詳細な説明】
【技術分野】
【０００１】
本発明は、自動分析システムに関し、特に、複数の自動分析装置における取扱説明書の確認に有効な技術に関する。
【背景技術】
【０００２】
自動分析装置の遠隔監視技術としては、例えば血液や尿などの生体試料（以下、単に試料と称する）と試薬とを用いることによって試料に含まれる特定成分の定量・定性分析を行う自動分析装置を無線ネットワークで接続して、タブレット端末などにより、該自動分析装置の状況を遠隔監視するものがある。
【０００３】
自動分析装置のメンテナンス作業には、例えば障害が発生した時に突発的に行わなければならない作業がある。その際、メンテナンスの作業者は、装置取扱方法説明書などを参照しながら自動分析装置のメンテナンスを行っている。
【０００４】
なお、この種の自動分析装置におけるメンテナンス作業を効率的に行う技術としては、例えば携帯端末などを用いて装置取扱方法説明書を電子ファイルとして表示させ、作業領域から移動することなくメンテナンス作業を可能とする技術が知られている（例えば特許文献１参照）。
【先行技術文献】
【特許文献】
【０００５】
【特許文献１】特開２０１３−６４６７４号公報
【発明の概要】
【発明が解決しようとする課題】
【０００６】
近年、臨床検査にて用いる自動分析装置のランニングコストの低減が求められている。ランニングコストの低減を図るためには、自動分析装置のメンテナンス作業を効率化して、自動分析装置の稼働率を向上させる必要がある。
【０００７】
しかしながら、作業者が装置取扱方法説明書を参照しながらメンテナンスを行う場合、スペースの問題などによって装置取扱方法説明情報が自動分析装置とは異なる場所に置かれている場合がある。
【０００８】
その場合には、自動分析装置が設置されている作業領域から装置取扱方法説明情報の設置場所までの移動や該装置取扱方法説明情報の検索などの余分な工数が必要となってしまい、効率的なメンテナンス作業を行うことができず、多くの時間を要してしまうという問題がある。  
【０００９】
また、検査業務が複数の自動分析装置を用いて行われている状況において、アラームや装置などに故障が発生した場合には、装置取扱方法説明情報を閲覧する必要が生じることがある。
【００１０】
その場合、種類やソフトウェアバージョンなど各々の自動分析装置に対応した装置取扱方法説明書を選択して、それに従ったメンテナンスを行う必要がある。しかしながら、上述したように複数の自動分析装置が用いられる状況においては、自動分析措置の導入時期などによって、種類の異なる装置やソフトウェアバージョンの異なる装置などが混在することがある。
【００１１】
よって、故障した自動分析装置に対応する装置取扱方法説明書を選択する際には、装置の種類やソフトバージョンなどから該当する装置取扱方法説明書を選択する作業が必要となり、その判別作業に手間がかかるという問題がある。
【００１２】
また、種類が同じ装置であってもソフトウェアバージョンのみが異なる場合もあるので、作業者による装置取扱方法説明書の取り違いが発生してしまう恐れもあり、その場合には、誤ったメンテナンスの実行してしまうリスクが発生する。
【００１３】
本発明の目的は、自動分析装置に対応する装置取扱方法説明情報を容易に短時間にて表示することのできる技術を提供することにある。
【００１４】
本発明の前記ならびにその他の目的と新規な特徴については、本明細書の記述および添付図面から明らかになるであろう。
【課題を解決するための手段】
【００１５】
本願において開示される発明のうち、代表的なものの概要を簡単に説明すれば、次のとおりである。
【００１６】
すなわち、代表的な自動分析システムは、１以上の自動分析装置、１以上の操作装置、情報管理装置、および端末装置を有する。自動分析装置は、検体を測定する。操作装置は、１以上の自動分析装置にそれぞれ接続され、接続される自動分析装置を制御する。
【００１７】
情報管理装置は、１以上の操作装置が接続され、該操作装置から自動分析装置の情報を収集して管理する、端末装置は、情報管理装置に接続される。
【００１８】
端末装置は、端末情報管理部および表示部を有する。端末情報管理部は、１以上の自動分析装置の装置取扱方法説明情報を取得する装置取扱情報参照画面を生成する。表示部は、端末情報管理部が生成した装置取扱情報参照画面を表示する。
【００１９】
表示部が表示する装置取扱情報参照画面は、第１の表示手段および第２の表示手段を有する。第１の表示手段は、すべての自動分析装置に対応する。第２の表示手段は、第１の表示手段によって選択された自動分析装置に対応する装置取扱方法説明情報の項目に対応する。
【００２０】
端末情報管理部は、受け取った装置取扱方法説明情報から第２の表示手段を生成して表示部に表示させる。また、１以上の操作装置には、接続される自動分析装置に対応する装置取扱方法説明情報がそれぞれ格納される。
【００２１】
特に、情報管理装置は、情報管理部および情報管理記憶部を有する。情報管理部は、操作装置に格納されている自動分析装置の装置取扱方法説明情報をそれぞれ取得する。情報管理記憶部は、情報管理部が取得した装置取扱方法説明情報を格納する。
【００２２】
そして、情報管理部は、表示部に表示される第１の表示手段から選択された自動分析装置に対応する装置取扱方法説明情報を情報管理記憶部から取り出して端末情報管理部に出力する。
【００２３】
さらに、情報管理部は、表示部に表示された第２の表示手段から選択された項目に対応する装置取扱方法説明情報を情報管理記憶部から取得し、端末情報管理部は、情報管理部が取得した装置取扱方法説明情報を表示部に表示させる。表示部に表示された第２の表示手段は、前記装置取扱方法説明情報の分冊の項目のリストである。情報管理部は、第２の表示手段から選択された分冊の項目の内容を示す情報を情報管理記憶部から取得する。
【発明の効果】
【００２４】
本願において開示される発明のうち、代表的なものによって得られる効果を簡単に説明すれば以下のとおりである。
【００２５】
（１）自動分析装置に対応する装置取扱方法説明情報を確認する際の工数を低減することができる。
【００２６】
（２）上記（１）により、自動分析装置のメンテナンス作業効率を向上させることができる。
【図面の簡単な説明】
【００２７】
【図１】一実施の形態による自動分析システムにおける構成の一例を示す説明図である。
【図２】図１の自動分析装置を複数台有する自動分析システムにおける構成の一例を示す説明図である。
【図３】図２の自動分析システムが有する操作部ＰＣ、情報管理ＰＣ、およびタブレット端末における機能構成の一例を示すブロック図である。
【図４】図３の情報管理ＰＣが有する情報管理記憶部に電子ファイルを取り込む際の処理の一例を示すフローチャートである。
【図５】図３の自動分析システムが有するタブレット端末における画面表示の一例を示す説明図である。
【図６】図３の自動分析システムによるログオン処理の一例を示すフローチャートである。
【図７】図３の自動分析システムが有するタブレット端末によって装置取扱情報参照画面を表示する際の処理の一例を示すフローチャートである。
【図８】図３の自動分析システムが有するタブレット端末に表示される装置取扱情報参照画面の一例を示す説明図である。
【図９】図３の自動分析システムが有するタブレット端末に表示される取説画面の一例を示す説明図である。
【図１０】図３の自動分析システムが有するタブレット端末に表示されるメイン画面の一例を示す説明図である。
【図１１】図３の自動分析システムが有するタブレット端末に表示される設定画面の一例を示す説明図である。
【発明を実施するための形態】
【００２８】
実施の形態を説明するための全図において、同一の部材には原則として同一の符号を付し、その繰り返しの説明は省略する。
【００２９】
以下、実施の形態を詳細に説明する。
【００３０】
〈自動分析システムの構成例１〉
図１は、一実施の形態による自動分析システムにおける構成の一例を示す説明図である。
【００３１】
この図１に示す自動分析システムは、１台の自動分析装置を有する全体構成を概略的に示したものである。
【００３２】
自動分析システム１００は、図１に示すように、自動分析装置１０１、通信機器１１０、操作部ＰＣ１１１、情報管理ＰＣ１１２、無線機器１１３、および通信機器１３０を有する。
【００３３】
自動分析装置１０１は、試料投入部１０４、分析部１０６ａ，１０６ｂ，１０６ｃ、搬送ライン１０５、および試料収納部１０９などを有する。この自動分析装置１０１は、例えばネットワーク接続によって操作部ＰＣ１１１およびタブレット端末１１４に接続されている。
【００３４】
試料投入部１０４と試料収納部１０９とは、試料ラック１０３を搬送する搬送ライン１０５によって接続されている。試料投入部１０４は、試料ラック１０３が投入される。試料ラック１０３は、分析対象である試料が収容された試料容器１０２を複数搭載する。試料収納部１０９は、試料ラック１０３を収納する。
【００３５】
分析部１０６ａ，１０６ｂ，１０６ｃは、搬送ライン１０５に沿ってそれぞれ配置されている。なお、図１では、３つの分析部１０６ａ，１０６ｂ，１０６ｃが配置されている例を示しているが、分析部の数に制限はなく、１つ以上であればよい。
【００３６】
操作装置である操作部ＰＣ１１１は、自動分析装置１０１全体の動作を制御するものであり、例えばハブなどからなる通信機器１１０を介して自動分析装置１０１に接続されている。また、通信機器１１０には、例えばパーソナルコンピュータなどの情報管理ＰＣ１１２が接続されている。
【００３７】
情報管理装置である情報管理ＰＣ１１２は、例えば無線ルータなどの無線機器１１３が接続されており、該無線機器１１３による無線通信によってタブレット端末１１４と通信することができる。
【００３８】
試料投入部１０４には、分析対象である試料が収容された試料容器１０２が複数配置された試料ラック１０３が投入され、搬送ライン１０５を介して各分析部１０６ａ，１０６ｂ，１０６ｃや試料収納部１０９などに搬送される。
【００３９】
試料容器１０２に収容される試料としては、キャリブレーション測定に用いるキャリブレーション試料、精度管理測定に用いる精度管理試料、あるいは血液や尿などの生体試料である患者試料などがある。
【００４０】
試料ラック１０３に搭載される各試料容器１０２には、収容される試料を識別する図示しないタグが設けられている。このタグは、例えばバーコードやＲＦＩＤ（Radio Frequency IDentification）であり、図示しない読み取り装置によって識別情報が読み取られ、操作部ＰＣ１１１などに送られる。
【００４１】
分析部１０６ａは、反応ディスク１２０ａ、試料分注機構１２１ａ、試薬ディスク１０８ａ、試薬分注機構１２２ａ、および測光機構１２３ａなどを有する。反応ディスク１２０ａは、複数の反応容器を有する。
【００４２】
試料分注機構１２１ａは、搬送ライン１０５により搬送される試料容器１０２に収容された試料を反応容器に分注する。試薬ディスク１０８ａは、試料の分析に用いる試薬を収容した複数の試薬容器１０７を設置する。
【００４３】
試薬分注機構１２２ａは、試薬ディスクに設置された試薬容器１０７の試薬を吸引して反応容器に分注する。測光機構１２３ａは、反応容器に収容された試料と試薬の混合液の吸光度や散乱光強度などを測定する。
【００４４】
分析部１０６ａは、測光機構１２３ａから得られた光学情報を解析することによって試料内の所定物質の含有濃度などを分析することができる。分析部１０６ｂ，１０６ｃについても、分析部１０６ａと同様の構成を有しており、それぞれ、反応ディスク１２０ｂ，１２０ｃ、試料分注機構１２１ｂ，１２１ｃ、試薬ディスク１０８ｂ，１０８ｃ、試薬分注機構１２２ｂ，１２２ｃ、および測光機構１２３ｂ、１２３ｃなどを有する。
【００４５】
端末装置であるタブレット端末１１４は、無線機器１１３を介して情報管理ＰＣ１１２と通信可能に接続されており、該タブレット端末１１４からの指示により、情報管理ＰＣ１１２を経由して操作部ＰＣ１１１から装置情報を取得する。これによって、オペレータ２００は、タブレット端末１１４の画面から自動分析装置１０１の各情報を見ることができる。
【００４６】
〈自動分析システムの構成例２〉
図２は、図１の自動分析装置を複数台有する自動分析システムにおける構成の一例を示す説明図である。
【００４７】
この図２では、操作部ＰＣ１１１ａ〜１１１ｄがそれぞれ接続された自動分析装置１０１ａ〜１０１ｄを４台情報管理ＰＣ１１２に接続した例を示したものである。なお、自動分析装置の接続台数については、特に制限はない。
【００４８】
自動分析装置１０１ａ〜１０１ｄには、ハブなどからなる通信機器１１０ａ〜１１０ｄがそれぞれ接続されている。通信機器１１０ａ〜１１０ｄは、通信機器１３０にそれぞれ接続されている。
【００４９】
よって、自動分析装置１０１ａ〜１０１ｄは、通信機器１１０ａ〜１１０ｄおよび通信機器１３０を介して、情報管理ＰＣ１１２にそれぞれ接続されている。情報管理ＰＣ１１２は、接続した無線機器１１３と無線通信によってタブレット端末１１４と通信可能に接続されている。
【００５０】
各々の操作部ＰＣ１１１ａ，１１１ｂ，１１１ｃ，１１１ｄには、それぞれ接続されている自動分析装置１０１ａ〜１０１ｄの種別およびソフトウェアバージョンに対応する装置取扱方法説明情報を含む電子ファイル１１６がインストールＣＤ（Compact Disc）１１５によってそれぞれインストールされる。
【００５１】
各々の操作部ＰＣ１１１ａ，１１１ｂ，１１１ｃ，１１１ｄにインストールされた電子ファイル１１６は、通信機器１３０を介して情報管理ＰＣ１１２に集約され、接続した無線機器１１３との無線通信によってタブレット端末１１４から参照することができる。
【００５２】
〈機能構成例〉
図３は、図２の自動分析システムが有する操作部ＰＣ、情報管理ＰＣ、およびタブレット端末における機能構成の一例を示すブロック図である。
【００５３】
この図３において、自動分析システム１００における接続構成は、図２と同様であり、操作部ＰＣ１１１ａ，１１１ｂ，１１１ｃ，１１１ｄは、通信機器１１０ａ，１１０ｂ，１１０ｃ，１１０ｄおよび通信機器１３０を通じて情報管理ＰＣ１１２にそれぞれ接続されている。また、情報管理ＰＣ１１２は、無線機器１１３を通じて無線通信により情報の授受が行われる。
【００５４】
なお、操作部ＰＣ１１１ｂ〜１１１ｄは、操作部ＰＣ１１１ａと同様の機能構成であるので、図３では、省略している。
【００５５】
操作部ＰＣ１１１ａは、図示するように、入力部２０１、表示部２０２、装置情報管理部２０４、対情報管理ＰＣ通信部２０５、記憶部２０６、および対分析部通信部２０７などを有する。
【００５６】
操作部ＰＣ１１１ａは、例えば図１の分析部１０６ａ，１０６ｂ，１０６ｃ、および試料収納部１０９などと通信を行い、自動分析装置１０１ａ全体の動作を制御する。操作部ＰＣ１１１ａは、入力部２０１、表示部２０２、装置情報管理部２０４、対情報管理ＰＣ通信部２０５、記憶部２０６、および対分析部通信部２０７などを有する。
【００５７】
入力部２０１は、例えば、キーボードやマウスなどであり、表示部２０２に表示される各種操作画面のボタン表示のマウスカーソルによる押し下げ、例えばマウスのクリックなどや入力枠へのキーボードからの数字や文字の入力などを行う。すなわち、入力部２０１と表示部２０２とは、ＧＵＩ（Graphical User Interface）にて構成している。
【００５８】
装置情報管理部２０４は、アラーム管理部２２１、試薬管理部２２２、および測定終了管理部２２３を有する。
【００５９】
試薬管理部２２２は、図１の試薬ディスク１０８ａ，１０８ｂ，１０８ｃに設置された試薬容器１０７などの試薬に関する情報の管理を行う。具体的には、分析項目との紐付け、残量管理、１つの分析項目に対して複数の試薬容器１０７が設置された場合の使用優先順の管理、および試薬有効期限の管理などである。
【００６０】
新たに試薬容器１０７が設置された場合、試薬管理部２２２は、記憶部２０６に記憶されている累積試薬情報を検索して過去に同じ試薬容器が設置されていたかを判定する。設置されていた場合には、記憶部２０６に記憶されている試薬情報を取り出し、設置されていなかった場合には、新規の試薬容器１０７として管理する。
【００６１】
また、残量管理においては、入力部２０１を通して設定された分析項目毎の残量のしきい値を下回った試薬について、試薬準備リストあるいは試薬廃棄リストに登録するといった処理も行う。また、試薬管理部２２２は、表示部２０２の表示に関する制御なども行う。
【００６２】
アラーム管理部２２１は、自動分析装置１０１ａに設けられた図示しない検出部からの情報や装置状態などと例えば異常の検出理論などのあらかじめ定めた基準などに基づいて検出された異常を表示部２０２に報知して、タブレット端末１１４に異常を通知するために異常情報を図示しない一時記憶部に記憶する。
【００６３】
測定終了管理部２２３は、自動分析装置１０１ａにて測定したキャリブレーション試料、精度管理試料、または患者試料の測定結果が出力されたかどうか監視する。そして、測定結果が自動分析装置１０１ａから出力されるとタブレット端末１１４に通知するために試料情報の測定終了情報を記憶部２０６に記憶させる。
【００６４】
対情報管理ＰＣ通信部２０５は、情報管理ＰＣ１１２からの要求テキストを受信して、装置情報管理部２０４が管理している情報などの必要な情報を情報管理ＰＣ１１２に送信する。
【００６５】
情報管理ＰＣ１１２は、情報管理通信部２３１、情報管理部２３２、および情報管理記憶部２３３を有する。
【００６６】
情報管理通信部２３１は、タブレット端末１１４との無線通信の制御、タブレット端末１１４に送信する通信テキストの作成、およびタブレット端末１１４から受信した通信テキストの情報の分配を行い、操作部ＰＣ１１１ａに情報を送信する。
【００６７】
情報管理部２３２は、接続している各自動分析装置１０１ａ〜１０１ｄのＩＰアドレスなどの装置の識別情報を情報管理記憶部２３３に記憶させる。また、情報管理部２３２は、タブレット端末１１４から指示された内容に応じて、情報管理通信部２３１を通じて該当自動分析装置に対して装置情報の取得などの通信を行う。
【００６８】
対分析部通信部２０７は、自動分析装置１０１ａとの通信の制御、自動分析装置１０１ａに送信する通信テキストの作成、および自動分析装置１０１ａから受信した通信テキストの情報の分配を行う。
【００６９】
タブレット端末１１４は、端末表示部２０８、端末通信部２０９、端末情報管理部２１０、および端末入力部２１１などを有する。このタブレット端末１１４は、無線機器１１３を通じて情報管理ＰＣ１１２を経由して操作部ＰＣ１１１ａ（〜１１１ｄ）と通信する。これにより、自動分析装置１０１ａ（〜１０１ｄ）から様々な情報を取得したり、自動分析装置１０１ａ（〜１０１ｄ）の操作を行ったりする。
【００７０】
タブレット端末１１４においては、操作部ＰＣ１１１ａと同様に、表示部である端末表示部２０８と端末入力部２１１とによってＧＵＩが構成されている。これにより、操作部ＰＣ１１１ａ（〜１１１ｄ）から送信された試薬情報、アラーム情報、および通知情報を含む種々の情報を受信して端末表示部２０８に表示する。あるいは、端末入力部２１１によって自動分析装置１０１ａ（〜１０１ｄ）に操作指示などを入力して、操作部ＰＣ１１１ａに送信する。
【００７１】
端末通信部２０９は、情報管理ＰＣ１１２との無線通信の制御、情報管理ＰＣ１１２に送信する通信テキストの作成、および情報管理ＰＣ１１２から受信した通信テキストの情報の分配などを行う。
【００７２】
情報管理部である端末情報管理部２１０は、操作部ＰＣ１１１ａ（〜１１１ｄ）から情報管理ＰＣ１１２を介して受信した自動分析装置に関するアラーム情報および試薬情報などを含む情報の管理および端末入力部２１１から画面上の操作処理などを行う。
【００７３】
また、記憶部２０６には、インストールＣＤ１１５によってインストールされた電子ファイル１１６が記憶される。この記憶部２０６に記憶された電子ファイル１１６は、通信機器１３０を介して情報管理ＰＣ１１２に転送される。情報管理ＰＣ１１２に転送された電子ファイル１１６は、情報管理記憶部２３３に記憶される。
【００７４】
タブレット端末１１４は、無線機器１１３を介した通信を行うことにより、情報管理記憶部２３３に記憶された電子ファイル１１６を参照する。そのため、タブレット端末１１４は、参照したい自動分析装置の電源がオフとなっても、情報管理記憶部２３３から装置取扱方法説明情報の電子ファイル１１６を参照することができる。
【００７５】
〈電子ファイルの取り込み例〉
図４は、図３の情報管理ＰＣが有する情報管理記憶部に電子ファイルを取り込む際の処理の一例を示すフローチャートである。
【００７６】
この図４では、情報管理ＰＣ１１１ａにインストールされる電子ファイル１１６を情報管理ＰＣの情報管理記憶部に電子ファイルを取り込む際の処理を示している。他の情報管理ＰＣ１１１ｂ〜１１１ｄにおいても、電子ファイル１１６を取り込む処理は同様である。
【００７７】
図４（ａ）は、情報管理ＰＣ１１１ａにおける電子ファイル１１６のインストール処理の例を示しており、図４（ｂ）は、情報管理ＰＣ１１１ａにインストールされた電子ファイルを情報管理ＰＣに取り込む処理を示している。
【００７８】
まず、図４（ａ）に示すように、電子ファイル１１６は、インストールＣＤ１１５を用いることによって操作部ＰＣ１１１ａにインストールされて記憶部２０６に格納される（ステップＳ１０１）。その後、インストールした電子ファイル１１６を反映させるために、情報管理ＰＣ１１１ａに格納されている自動分析装置１０１ａを再起動する（ステップＳ１０２）。
【００７９】
図４（ｂ）において、情報管理ＰＣ１１２の情報管理部２３２は、自動分析装置１０１ａの立ち上げ時、すなわち電源オンの際に操作部ＰＣ１１１ａの記憶部２０６に格納された電子ファイル１１６のファイル名を取得する（ステップＳ１０３）。
【００８０】
装置情報管理ＰＣ１１２の情報管理部２３２は、ループ処理Ｓ１００において、取得したファイル名の数だけ、ファイル名が一致する電子ファイル１１６を操作部ＰＣ１１１ａ〜１１１ｄより取得して、情報管理記憶部２３３に格納する処理が繰り返される（ステップＳ１０４，Ｓ１０５）。
【００８１】
ここでは、電子ファイル１１６が操作部ＰＣ１１１ａにインストールされているので、情報管理部２３２は、操作部ＰＣ１１１ａの記憶部２０６に格納されている電子ファイル１１６を取得して、情報管理記憶部２３３に格納する。
【００８２】
以上により、情報管理ＰＣによる電子ファイル１１６の取り込み処理が終了する。これにより、タブレット端末１１４は、情報管理ＰＣ１１２と無線機器１１３によって通信することにより、電子ファイル１１６を参照することができる（ステップＳ１０６）。
【００８３】
これにより、自動分析装置の立ち上げ毎に最新のインストールされた電子ファイル１１６を取得することができ、古いソフトウェアバージョンなどの装置取扱方法説明情報の取り違いなどを低減することができる。
【００８４】
〈タブレット端末の画面表示例〉
図５は、図３の自動分析システムが有するタブレット端末における画面表示の一例を示す説明図である。
【００８５】
この図５は、タブレット端末１１４を起動した際に表示されるログオン画面の一例を示したものである。
【００８６】
ログオン画面４００には、入力ボックス４０１が表示されており、該入力ボックス４０１の下方には、入力ボックス４０２が表示されている。入力ボックス４０１は、オペレータＩＤを入力するボックスである。オペレータＩＤは、ユニークな番号や文字などであり、オペレータ毎に付与される。入力ボックス４０２は、パスワードを入力するボックスである。
【００８７】
また、入力ボックス４０２の下方には、チェックボックス４０３が表示されており、該チェックボックス４０３の下方には、ログオンボタン４０４が表示されている。ログオンボタン４０４の下方には、取説用ボタン４０５が表示されている。
【００８８】
チェックボックス４０３は、ログオン情報、すなわち入力ボックス４０１，４０２に入力されたオペレータＩＤおよびパスワードを記憶させたい場合にチェックを行う。これにより、次回からは、入力ボックス４０１，４０２には、オペレータＩＤおよびパスワードがそれぞれ入力済みの状態となる。
【００８９】
このログオン画面４００において、オペレータＩＤおよびパスワードをそれぞれ入力ボックス４０１，４０２に入力して、ログオンボタン４０４を押すことにより、情報管理ＰＣ１１２の情報管理部２３２がオペレータＩＤおよびパスワードの認証をそれぞれ行う。
【００９０】
取説用ボタン４０５は、装置取扱方法参照ボタンであり、自動分析システム１００を構成する所望の自動分析装置１０１ａ〜１０１ｄの装置取扱方法説明情報、いわゆる取扱説明書を参照する際に押下する。
【００９１】
例えば故障などの発生によって自動分析装置の電源がオフとなっているオフライン状態では、情報管理ＰＣ１１２が操作部ＰＣの記憶部２０６にて記憶しているオペレータＩＤおよびパスワードを照合することができないために、電源がオフとなっている自動分析装置に接続される操作部ＰＣとアクセスできない。
【００９２】
このような状況においても、タブレット端末１１４に表示されるログオン画面から取説用ボタン４０５である装置取扱方法参照ボタンを押下することによって、後述する装置取扱方法説明情報を参照する画面（以下、単に装置取扱情報参照画面と称する）に遷移させることができ、装置取扱方法説明情報の閲覧を可能にすることができる。
【００９３】
なお、取説用ボタン４０５の表示は、ログオン画面に限定はされず、装置にログオンしていない状態でアクセスできるほかの画面に表示させてもよい。
【００９４】
〈ログオン処理例〉
図６は、図３の自動分析システムによるログオン処理の一例を示すフローチャートである。
【００９５】
各自動分析装置１０１ａ〜１０１ｄのネットワーク接続状況は、情報管理ＰＣ１１２の情報管理記憶部２３３に記憶されており、該情報管理記憶部２３３に記憶された情報を参照してネットワークが接続している自動分析装置数分の処理が繰りかえされるループ処理Ｓ２００が実行される。
【００９６】
まず、ループ処理Ｓ２００において、情報管理ＰＣ１１２の情報管理部２３２は、操作部ＰＣ１１１ａの記憶部２０６に記憶されているオペレータＩＤおよびパスワードとタブレット端末１１４から入力されたオペレータＩＤおよびパスワードと照合する（ステップＳ２０１）。
【００９７】
一致する場合、自動分析装置１０１ａへのアクセスは可能と判定する（ステップＳ２０２）。一致するものが見つからなかった場合には、自動分析装置１０１ａへのアクセスは不可と判定する（ステップＳ２０３）。また、アクセス不可と判定された自動分析装置１０１ａの情報は参照不可となる。
【００９８】
接続しているすべての自動分析装置１０１ａ〜１０１ｄに対してステップＳ２０２〜Ｓ２０３の処理を繰り返して実行する。
【００９９】
その後、１台以上のアクセス可能な自動分析装置があれば（ステップＳ２０４）、ログオンが成功となり（ステップＳ２０５）、メイン画面が表示される（ステップＳ２０６）。
【０１００】
アクセス可能な自動分析装置が１台もなければログオン失敗となり（ステップＳ２０７）、メイン画面に遷移せずに、再びログオン画面を表示する（ステップＳ２０８）。
【０１０１】
以上により、ログオン処理が終了となる。
【０１０２】
〈装置取扱情報参照画面の表示処理例〉
図７は、図３の自動分析システムが有するタブレット端末によって装置取扱情報参照画面を表示する際の処理の一例を示すフローチャートである。
【０１０３】
この図７は、タブレット端末１１４に表示されるログオン画面から図８の装置取扱情報参照画面５００を表示するまでの処理例を示したものである。装置取扱情報参照画面５００については、後述する図８にて説明する。
【０１０４】
まず、タブレット端末１１４のログオン画面４００に表示されているログオンボタン４０４を押下することによってログオンを実施する（ステップＳ３０１）。この際のログオン処理については、図６に示したログオン処理の通りであり、１台以上のアクセス可能な自動分析装置があればログオンが成功となり（ステップＳ３０２）、後述する図１０のメイン画面７００に遷移する（ステップＳ３０３）。
【０１０５】
また、アクセス可能な自動分析装置が１台もなければログオン失敗となり（ステップＳ３０２）、図１０のメイン画面７００に遷移せずにログオン画面を再度表示する。
【０１０６】
ステップＳ３０３の処理にて、ログオンが成功して図７のメイン画面７００が表示された後、図１０の設定アイコン７１１が作業者などによって選択されると（ステップＳ３０４）、後述する図１１の設定画面に遷移する（ステップＳ３０５）。
【０１０７】
この設定画面にて、図１１に示す取説ボタン８０３を選択することによって（ステップＳ３０６）、図８の装置取扱情報参照画面５００が表示される。
【０１０８】
また、すべての自動分析装置の電源がオフであり、タブレット端末１１４がログオンできずにメイン画面７００に遷移できない場合には、図５に示した装置取扱方法参照ボタンである取説用ボタン４０５を押下することにより（ステップＳ３０７）、図８の装置取扱情報参照画面５００が表示される。なお、取説用ボタン４０５は、すべての自動分析装置の電源がオフの状態、あるいは少なくとも１台の自動分析装置の電源がオンしている状態であれば表示されて押下することができる。これにより、装置取扱方法説明情報が参照可能となる。
【０１０９】
〈装置取扱情報参照画面の構成例〉
図８は、図３の自動分析システムが有するタブレット端末に表示される装置取扱情報参照画面の一例を示す説明図である。
【０１１０】
この図８に示す装置取扱情報参照画面５００は、図７のステップＳ３０７の処理にて説明したようにタブレット端末１１４がログオンできずに図１０のメイン画面７００に遷移できない場合に表示される画面である。
【０１１１】
装置取扱情報参照画面５００は、上方に装置名リスト５０１が表示されている。第１の表示手段である装置名リスト５０１は、接続されている自動分析装置にそれぞれ対応する装置名のリストあるいは各々の自動分析装置に対応する項目などからなる。この装置名リスト５０１の右側には、装置名に対応する選択ボタン５０３がそれぞれ表示されている。
【０１１２】
図２の例では、自動分析装置１０１ａ〜１０１ｄが接続されているので、例えば装置名リスト５０１に表示されている装置名「Ｓｙｓｔｅｍ１」は、自動分析装置１０１ａに当たる。装置名リスト５０１に表示されている装置名「Ｓｙｓｔｅｍ２」、「Ｓｙｓｔｅｍ３」「Ｓｙｓｔｅｍ４」は、自動分析装置１０１ｂ、自動分析装置１０１ｃ、自動分析装置１０１ｄにそれぞれ該当するものとする。
【０１１３】
この状態にて、取扱方法説明情報を参照したい装置名に対応する選択ボタン５０３を押下すると、装置名リスト５０１の下方に取扱説明書一覧リスト５０２が表示される。第２の表示手段である取扱説明書一覧リスト５０２は、選択された自動分析装置に対応する装置取扱方法説明情報が分類別に示されたものであり、例えば装置取扱方法説明情報の分冊の項目などがそれぞれ表示されている。
【０１１４】
その右側には、分冊の項目にそれぞれ対応する表示ボタン５０４が表示されている。参照したい分冊の項目に対応する表示ボタン５０４を押下することによって選択された分冊の内容が表示される。
【０１１５】
例えば装置名「Ｓｙｓｔｅｍ１」に対応する選択ボタン５０３を押下すると、情報管理ＰＣ１１２の情報管理部２３２には、装置名「Ｓｙｓｔｅｍ１」に対応する選択ボタン５０３が選択されたことを示す信号が入力される。
【０１１６】
情報管理部２３２は、入力された信号に基づいて、該当する自動分析装置の電子ファイル１１６を情報管理記憶部２３３から検索し、検索した電子ファイル１１６から装置取扱方法説明情報を読み出し、端末情報管理部２１０に送信する。
【０１１７】
この場合、電子ファイル１１６から読み出す情報は、例えば装置取扱方法説明情報の分冊の項目情報である。端末情報管理部２１０は、情報管理部２３２から受け取った分冊の項目情報から装置取扱方法説明情報を分冊の項目毎に表示する。
【０１１８】
このように、すべての自動分析装置１０１ａ〜１０１ｄの電源がオフであっても、装置取扱情報参照画面５００から参照したい自動分析装置を選択することにより、該自動分析装置に対応する装置取扱方法説明情報を容易に短時間で閲覧することができる。上述したように、取説用ボタン４０５は、１台以上の自動分析装置の電源がオンしている状態であっても表示されて押下することができる。
【０１１９】
なお、図８の画面例では使用者が識別できるよう装置名や取扱説明書名一覧をリスト形式で表示する方法を示したが、使用者が識別できる方法であれば、それぞれを対応するマークやアイコン、色別に表示するなど、表示方法は問わない。
【０１２０】
これにより、装置名やソフトウェアバージョンを判別するなどの手間を省きながら正確な装置取扱方法説明情報を参照することができ、装置取扱方法説明情報の取り違いなどを防止することができる。
【０１２１】
〈取説画面の構成例〉
図９は、図３の自動分析システムが有するタブレット端末に表示される取説画面の一例を示す説明図である。
【０１２２】
この図９に示す取説画面６００は、図８に示す参照したい分冊に対応する表示ボタン５０４を押下した際に表示される画面である。
【０１２３】
取説画面６００は、図９に示すように、しおり６０１および電子ファイル表示画面６０２を有する構成からなる。しおり６０１は、取説画面６００の左側に表示されており、該しおり６０１の右側には、電子ファイル表示画面６０２が表示されている。
【０１２４】
電子ファイル表示画面６０２には、図８の装置取扱情報参照画面５００によって選択された分冊の内容が表示される。
しおり６０１には、選択された分冊の項目が概略的にリストとして記述されており、該リストから参照したい項目を選択することによって、電子ファイル表示画面６０２に選択した項目の内容を表示させることが可能である。
【０１２５】
また、しおり６０１および電子ファイル表示画面６０２の上部には、様々なアイコンが表示されるアイコンリスト６０３が表示されている。このアイコンリスト６０３にある非表示ボタン６０４を押下することによって、しおり６０１を非表示にすることができる。これによって、電子ファイル表示画面９０１を拡大表示することができ、装置取扱方法説明情報をより参照しやすくすることができる。
【０１２６】
参照したい分冊に対応する表示ボタン５０４を押下すると、情報管理ＰＣ１１２の情報管理部２３２には、該表示ボタン５０４に対応する分冊が選択されたことを示す信号が入力される。
【０１２７】
情報管理部２３２は、入力された信号に基づいて、情報管理記憶部２３３に格納されている電子ファイル１１６から選択された装置取扱方法説明情報の分冊の情報を読み出し、端末情報管理部２１０に送信する。
【０１２８】
端末情報管理部２１０は、情報管理部２３２から受け取った分冊の情報から装置取扱方法説明情報の分冊の情報を図９に示すように表示する。
【０１２９】
このように、装置取扱情報参照画面５００から参照したい自動分析装置を選択することにより、該自動分析装置に対応する装置取扱方法説明情報を容易に短時間で閲覧することができる。
【０１３０】
〈メイン画面の構成例〉
図１０は、図３の自動分析システムが有するタブレット端末に表示されるメイン画面の一例を示す説明図である。
【０１３１】
この図１０に示すメイン画面７００は、図７のステップＳ３０２の処理にてログオンが成功となった際に同じく図７のステップＳ３０３の処理にて表示される画面である。
【０１３２】
ホーム画面であるメイン画面７００は、図１０（ａ）に示すように、第１の表示領域７０１、階層化リスト７０４、および第２の表示領域７０２によって構成される。第１の表示領域７０１の下方には、階層化リスト７０４が表示され、該階層化リスト７０４の下方には、状況画面である第２の表示領域７０２が表示される。これら第１の表示領域７０１および第２の表示領域７０２により状況確認画面が構成される。
【０１３３】
第１の表示領域７０１には、装置ボタン７０３、および設定アイコン７１１などが配置される。
【０１３４】
装置ボタン７０３は、接続された自動分析装置にそれぞれ対応するボタンである。図１０（ａ）では、４つの装置ボタン７０３があり、４台の自動分析装置が接続されている状態であることを示している。
【０１３５】
設定アイコン７１１は、図１１の設定画面８００を表示させる際に選択するアイコンであり、設定アイコン７１１を選択することによって、図１０のメイン画面７００から図１１の設定画面８００に遷移する。設定画面において、図８の装置取扱情報参照画面を表示させる。
【０１３６】
第２の表示領域７０２は、接続された自動分析装置のうち、選択された１台の自動分析装置の装置情報、すなわちアラーム状況や試薬状況などを表示するベース画面のエリアである。この図１０（ａ）の例では、ベース画面が装置名「Ｓｙｓｔｅｍ１」の自動分析装置におけるアラーム状況画面を表示している例を示している。
【０１３７】
階層化リスト７０４は、ベース画面の階層構造を表示するリストであり、現在表示しているベース画面がどの画面階層であるかを示すものである。図１０（ａ）の例では、階層化リスト７０４の左端の「ホーム」が階層の最上位画面を示しており、右端の「アラーム状況」が現在の表示中の画面を示している。また、階層化リスト７０４の下線部のある表示を選択すると、ベース画面は、選択された画面に遷移して表示される。
【０１３８】
ここで、第１の表示領域７０１の装置ボタン７０３に表示される各種アイコンについて説明する。
【０１３９】
装置ボタン７０３内は、図１０（ｂ）に示すように、アラーム通知アイコン７０５、試料残量不足通知アイコン７０６、キャリブレーション／精度管理試料測定終了通知アイコン７０７、緊急患者試料の測定終了通知アイコン７０８がそれぞれ表示されている。これらのアイコンは、アラートアイコンとなる。
【０１４０】
アラーム通知アイコン７０５は、アラーム通知情報を通知するアイコンである。試料残量不足通知アイコン７０６は、試薬残量不足を通知するアイコンである。キャリブレーション／精度管理試料測定終了通知アイコン７０７は、キャリブレーションおよび精度管理試料の測定終了を通知するアイコンである。緊急患者試料の測定終了通知アイコン７０８は、緊急患者試料の測定終了を通知するアイコンである。
【０１４１】
アラーム通知情報は、自動分析装置において発生したアラーム通知をアラーム管理部２２１から情報管理ＰＣ１１２を通じてタブレット端末１１４に送信される。
【０１４２】
タブレット端末１１４がアラーム通知を受信すると、端末情報管理部２１０は、当該自動分析装置に対応する装置ボタン７０３に表示されるアラーム通知アイコン７０５を点滅させる。
【０１４３】
また、発生するアラームには、重要度のレベルが分かれており、レベル毎に異なる色にてアイコンを点滅表示させる。例えば、重要度を「注意」、「ストップ」の２段階のレベルに分けた色のアイコンでそれぞれ点滅表示させる。
【０１４４】
端末情報管理部２１０は、「注意」レベルと「ストップ」レベルとのアラームの発生が重なった場合、例えば「注意」＜「ストップ」の優先順で高いほうのレベルのアイコンを表示する。
【０１４５】
試薬残量不足通知は、自動分析装置１０１に搭載されている試薬の残量情報を記憶部２０６から取得して試薬管理部２２２が試薬不足のチェックした結果を試薬残量不足通知としてタブレット端末１１４に定期的に送信する。
【０１４６】
タブレット端末１１４において、試薬残量不足通知を受信すると、端末情報管理部２１０は、自動分析装置の装置ボタン７０３内の試薬残量不足通知アイコン７０６を点滅させる。または発生した試薬残量不足レベルが分かれており、レベル毎に異なる色のアイコンで点滅表示させる。
【０１４７】
例えば試薬残量不足レベルは、３段階のしきい値を設定して、第１のしきい値を下回っている試薬容器１０７は「準備」、第１のしきい値より残量が少ない第２のしきい値を下回っている試薬容器１０７は「注意」、そして、残量が０になった試薬容器１０７は「警告」の３つのレベルに応じたアイコンを表示させる。
【０１４８】
また、各レベルの試薬残量不足が重なった場合には、「準備」＜「注意」＜「警告」の優先順にて最も高いアイコンを表示するようにしてもよい。
【０１４９】
キャリブレーション試料／精度管理試料測定終了通知は、自動分析装置にて測定したキャリブレーション試料または精度管理試料の測定が終了した際に、測定終了管理部２２３を介してタブレット端末１１４に送信される。
【０１５０】
タブレット端末１１４において、測定終了通知を受信すると端末情報管理部２１０は、該当する自動分析装置の装置ボタン７０３内のキャリブレーション試料／精度管理試料測定終了通知アイコン７０７を点滅させる。
【０１５１】
図１０の例では、キャリブレーション／精度管理試料測定終了通知アイコン７０７がキャリブレーションと試料の精度管理試料とを統合したアイコンとしているが、アイコンを別々に分けて表示するようにしてもよい。
【０１５２】
緊急患者試料の測定結果通知は、自動分析装置にて緊急患者試料の測定が終了した時に、測定終了管理部２２３を介してタブレット端末１１４に送信される。緊急患者試料は、例えば緊急患者の試料容器１０２を緊急患者試料用バーコードの貼った試料ラック１０３に搭載して測定することにより、該自動分析装置がバーコードを読み取り、緊急患者試料であることを認識する。
【０１５３】
タブレット端末１１４において、患者試料通知を受信すると、端末情報管理部２１０は、自動分析装置の装置ボタン６０３内の測定終了通知アイコン７０８を点滅させる。
【０１５４】
上記した各アイコンは、点滅と同時にタブレット端末に備えたスピーカなどを用いて音を鳴らして通知するようにしてもよい。あるいは、点滅表示でなくても、点灯表示や別のアイコン表示や形状を変化させて通知表示してもよい。
【０１５５】
〈設定画面の構成例〉
図１１は、図３の自動分析システムが有するタブレット端末に表示される設定画面の一例を示す説明図である。
【０１５６】
この図１１における設定画面８００は、上述した図１０のメイン画面７００に表示される設定アイコン７１１を選択した際に表示される画面である。
【０１５７】
図１１に示す設定画面８００は、タブレット端末１１４のログオンが成功してメイン画面７００が表示された後、図７のステップＳ３０５の処理にて表示される画面であり、図７のステップＳ３０４の処理によって設定アイコン７１１が選択されることによって表示される画面である。
【０１５８】
設定画面８００は、図示するように設定選択リスト８０１および設定情報表示画面８０２から構成されている。設定画面８００の左側に表示される設定項目リスト８０１は、タブレット端末１１４や自動分析装置の機能などを設定する設定項目が表示される。
【０１５９】
設定情報表示画面８０２は、設定項目リスト８０１の右側に表示される。この設定情報表示画面８０２は、設定項目リスト８０１によって選択された設定項目の詳細な設定内容を表示する。
【０１６０】
設定項目リスト８０１に表示される設定項目には、取説ボタン８０３があり、該取説ボタン８０３を選択することによって、設定情報表示画面８０２に図８の装置取扱情報参照画面５００が表示される。
【０１６１】
なお、図８の画面例で説明したように、使用者が識別できる方法であれば、それぞれを対応するマークやアイコン、色別に表示するなど、表示方法を問わないことは図１１でも同様である。
【０１６２】
また、設定項目リスト８０１は、取説ボタン８０３の他に、例えば「装置」、「通知」、「音設定」、「情報」、および「ログオフ」などのボタンを有する。
「装置」は、自動分析装置の登録設定を行う際に選択するボタンであり、押下することにより自動分析装置の登録設定画面が表示される。この画面は、例えば図１０の装置ボタン７０３での対応する装置の表示順や、表示、非表示の設定するための画面である。
【０１６３】
「通知」は、検体の通知設定を行う際に選択するボタンであり、該ボタンを押下することによって、検体通知を設定する画面が表示される。この画面は、例えば図１０の装置ボタン７０３内のアラーム通知アイコン７０５、試料残量不足通知アイコン７０６、キャリブレーション／精度管理試料測定終了通知アイコン７０７、緊急患者試料の測定終了通知アイコン７０８について、アラーム通知の仕様を設定する画面である。
「音設定」は、アラームなどの音を設定する際に選択するボタンであり、該ボタンを押下することによってアラーム音などを設定する画面が表示される。
「情報」は、ソフトウェアのバージョン情報を表示する際に選択するボタンであり、該ボタンを押下することによって、例えばタブレット端末で使用しているソフトウェアのバージョン情報を表示することができる。
【０１６４】
「ログオフ」は、自動分析装置のログオフ処理を実行する際に選択するボタンであり、ログオン中の自動分析装置に対するログオフ処理を行う画面が表示される。
【０１６５】
ある自動分析装置にアラームが発生している場合、図１０のメイン画面７００の装置ボタン７０３を確認することによって、どの自動分析装置にアラームが発生しているか容易に判別することができる。
【０１６６】
その後、設定アイコン７１１を選択して図１１の設定画面８００に表示画面を遷移させる。そして、設定画面８００において、取説ボタン８０３を押下することにより、図８の装置取扱情報参照画面５００を表示させ、アラームが発生していた自動分析装置に対応する選択ボタン５０３を選択する。
【０１６７】
これによって、メンテナンス対応を行う必要のある自動分析装置の取扱方法説明情報を容易に短時間で閲覧することができる。
【０１６８】
以上により、メンテナンスの必要な自動分析装置における取扱方法説明情報の確認を短時間で効率よく行うことができる。これにより、メンテナンスの効率を向上させることができる。
【０１６９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【０１７０】
なお、本発明は上記した実施の形態に限定されるものではなく、様々な変形例が含まれる。例えば、上記した実施の形態は本発明を分かりやすく説明するために詳細に説明したものであり、必ずしも説明したすべての構成を備えるものに限定されるものではない。
【０１７１】
また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換をすることが可能である。
【符号の説明】
【０１７２】
１００  自動分析システム
１０１  自動分析装置
１０２  試料容器
１０３  試料ラック
１０４  試料投入部
１０５  搬送ライン
１０６ａ  分析部
１０６ｂ  分析部
１０７  試薬容器
１０８ａ  試薬ディスク
１０８ｂ  試薬ディスク
１０９  試料収納部
１１０  通信機器
１１１  操作部ＰＣ
１１２  情報管理ＰＣ
１１３  無線機器
１１４  タブレット端末
１１５  インストールＣＤ
１１６  電子ファイル
１２０ａ  反応ディスク
１２０ｂ  反応ディスク
１２１ａ  試料分注機構
１２１ｂ  試料分注機構
１２２ａ  試薬分注機構
１２２ｂ  試薬分注機構
１２３ａ  測光機構
１２３ｂ  測光機構
１３０  通信機器
２０１  入力部
２０２  表示部
２０４  装置情報管理部
２０５  対情報管理ＰＣ通信部
２０６  記憶部
２０７  対分析部通信部
２０８  端末表示部
２０９  端末通信部
２１０  端末情報管理部
２１１  端末入力部
２２１  アラーム管理部
２２２  試薬管理部
２２３  測定終了管理部
２３１  情報管理通信部
２３２  情報管理部
２３３  情報管理記憶部
【図１】
2019028018.tif 000003
【図２】
2019028018.tif 000004
【図３】
2019028018.tif 000005
【図４】
2019028018.tif 000006
【図５】
2019028018.tif 000007
【図６】
2019028018.tif 000008
【図７】
2019028018.tif 000009
【図８】
2019028018.tif 000010
【図９】
2019028018.tif 000011
【図１０】
2019028018.tif 000012
【図１１】
2019028018.tif 000013